(57)【要約】      （修正有）【課題】折り紙用紙を簡単に裁断できるようなスリットを持った定規盤を提供する。【解決手段】四角形（正方形あるいは長方形）のスリットに沿って線引き、裁断が出来る定規（ｅ線スケール）１であり、形状１スリット２、形状２スリット３、形状３スリット４、形状４スリット５、形状５スリット６の折り紙用紙の寸法取りが出来るようにスリットを入れ、そのスリットに従い線を引くか、直接カッターナイフ等の刃物で裁断し、残り一辺は左右両端の先端同士間に線を引き、その後裁断することができる。【選択図】図１
2013078927.tif 000002
【特許請求の範囲】
【請求項１】
四角形の盤の中に３辺、または、４辺のスリットで構成された四角形が異なる大きさで複数存在し、かつ、その複数の四角形が盤から切り離されず一体を保持し、そのスリットに沿って線引き、裁断が出来ることを特徴とする定規。
【発明の詳細な説明】
【技術分野】
【０００１】  従来、折り紙は市販されている専用の正方形、あるいは長方形の用紙に色づけや柄がすでに印刷されたものを使用するのが一般的である。  専用の折り紙用紙以外を使用して折り紙を行う場合は、まず折り紙にしたい用紙を定規、鋏等を使用して裁断しなければならない。  その場合、寸法、形状（正方形、長方形）を整えるのに手数がかかる。  この折り紙用紙作成を簡単に正確に行うために四角形の３辺、または、４辺にスリットを設け、そのスリットに沿って線を引くことができるｅ線スケールを提供する。  このスリットに沿って線引き、裁断が出来る定規（ｅ線スケール）を使用することにより寸法を確認することなく、そして、１つのｅ線スケールで幾通りもの折り紙用紙が裁断でき折り紙用紙作成を簡便にした。【０００２】  このスリットに沿って線引き、裁断が出来る定規（ｅ線スケール）で専用の折り紙用紙以外（新聞紙、広告用紙、包み紙等）を使用して折り紙を行うことが出来るようになった。  また、任意の柄部分を裁断することもできるようになった。【０００３】  折り紙以外にパッチワーク用の布を作成することができる。【０００４】  このスリットに沿って線引き、裁断が出来る定規の重さは軽く、形状がコンパクトであるため、携帯に便利である。  折り紙は外国でも盛んに使用され日本古来の伝統技術の一つとして紹介されている。  日本国内はもとより外国でも知的な遊び道具としてお土産にも適している。
【背景技術】
【０００５】  従来、折り紙は折り紙用に作られた正方形、あるいは、長方形の専用用紙を使用するのが一般的である。  自分の好きな柄の入った用紙、あるいは、欲しい絵柄の部分を折り紙にしたい場合は、定規、鋏等を使用して裁断することが必要であり、そのための工数が多くかかっている。
【発明の概要】
【発明が解決しようとする課題】
【０００６】  折り紙を行う場合、市販の専用用紙以外の用紙が欲しい場合、その折り紙用紙を正方形、長方形に裁断するための工数が多くかかる。  また、自分が欲しい柄の部分を裁断することができにくかった。
【課題を解決するための手段】
【０００７】  図１に示すように、四角形（正方形、長方形）のスリットに沿って線引き、裁断が出来る定規（１）（例：プラスチック）に形状１（２）、形状２（３）、形状３（４）、形状４（５）、形状５（６）の折り紙用紙（７）（正方形、あるいは、長方形）の寸法取りが出来るようにスリットを入れ、そのスリットにしたがい線を引くか、直接カッターナイフ等の刃物で裁断する。  残り一辺は左右両端の先端同士間に線を引き、その後裁断する。【０００８】  図１の形状１は外形辺４辺に沿って線を書き、その後裁断するか、直接カッターナイフ等の刃物で直接裁断する。
【発明の効果】
【０００９】  請求項１のように、スリットに沿って線引き、裁断が出来る定規（ｅ線スケール）で複数の異なる折り紙用紙を裁断することができる。【００１０】  さらに折り紙にしたい柄の部分を任意に裁断することができる。  このことによりオリジナルな折り紙用紙を作ることができる。
【図面の簡単な説明】
【００１１】【図１】本発明の実施例１の平面図である。
【図２】同側面から見た折り紙用紙と下敷パッドの説明図である。
【図４】本発明の実施例２の平面図である。
【図５】同側面から見た折り紙用紙と下敷パッドの説明図である。
【図６】本発明の実施例３の平面図である。
【図７】同側面から見た折り紙用紙と下敷パッドの説明図である。
【発明を実施するための形態】
【００１２】  以下、本発明の実施例を、図１、図３、図５に示す。  全体像を、図１の平面図と図２のｅ線スケール（１）、折り紙（６）、下敷パッド（７）の組み合わせを示した側面図を参照しながら説明をする。  スリットに沿って線引き、裁断が出来る定規（ｅ線スケール）（１）は、固めの材質（例：プラスチック）の盤に、それぞれ異なる四角形の折り紙の寸法にしたがいあらかじめスリット（３，４，５、６）をつけておく。  スリットの幅は鉛筆（シャープペン）の芯は、あるいは、カッターナイフの刃が入る幅を有する。  このスリットに沿って線引き、裁断が出来る定規（ｅ線スケール）で作成出来る折り紙の最大の寸法は定規盤（ｅ線スケール）（１）の外形を利用する。
【００１３】  図１に示すようにそれぞれの四角形の３辺にスリット（２，３，４，５、６）を設け、その３辺を鉛筆で線引きするか、カッターナイフのような刃物で裁断する。  残りのスリット無しの辺は四角形３辺のうち左右２辺の先端同士間に線を引く。
【００１４】  裁断する際に裁断が容易に出来るように、また、裁断するときの下に敷いてある材質を傷つけないよう下敷パッド（８）を敷いておく。
【００１５】  図３は図１のスリット無しの部分にも予めスリットを入れた実施例である。  この１辺のスリットを入れることにより線引きが容易になる。  ただ、そのままスリットを入れると、それぞれの形状がスリットに沿って線引き、裁断が出来る定規（ｅ線スケール）（１）から切り離されてしまう不具合を避けるためそれぞれの形状間を連結する部分を設けておく。  こうすることにより定規盤（ｅ線スケール）がバラバラにならず一枚の定規盤を保持できる。
【００１６】  図５は厚手の折り紙、パッチワーク用布等を裁断する場合、折り紙、布等がずれないようにするためにスリットに沿って線引き、裁断が出来る定規（ｅ線スケール）の上部に用紙押さえ具を設けた実施例である。用紙押さえ具は磁石を利用する。  この用紙押さえ具により下敷パッドと間に折り紙、布等を固定し抑えるため線引きや裁断が容易になる。
【産業上の利用可能性】
【００１７】  本発明のスリットに沿って線引き、裁断が出来る定規を使用することにより、折り紙という日本古来の優れた工芸の楽しみを多くの人に提供でき、日本ばかりでなく海外でも利用されることが予想される。  このことにより折り紙に関連する他の用具、用紙の拡販が期待できる。  折り紙で作られた形状により、作り手と鑑賞者との間のコミュニケーションが図られるし、さらには幼児教育にも簡単に利用できる。  また、高齢者の楽しみを増加させることも出来る。
【符号の説明】
【００１８】１  スリットに沿って線引き、裁断が出来る定規（ｅ線スケール）２  形状１スリット３  形状２スリット４  形状３スリット５  形状４スリット６  形状５スリット７  折り紙用紙８  下敷パッド９  用紙押さえ具
【図１】
2013078927.tif 000003
【図２】
2013078927.tif 000004
【図３】
2013078927.tif 000005
【図４】
2013078927.tif 000006
【図５】
2013078927.tif 000007
【図６】
2013078927.tif 000008
【手続補正書】
【提出日】平成23年12月20日(2011.12.20)
【手続補正１】
【補正対象書類名】明細書
【補正対象項目名】００１１
【補正方法】変更
【補正の内容】
【００１１】
【図１】  本発明の実施例１の平面図である。
【図２】  同側面から見た折り紙用紙と下敷パッドの説明図である。
【図３】  本発明の実施例２の平面図である。
【図４】  同側面から見た折り紙用紙と下敷パッドの説明図である。
【図５】  本発明の実施例３の平面図である。
【図６】  同側面から見た折り紙用紙と下敷パッドの説明図である。